(57)【要約】【課題】楽曲に依存しない表現の自由度を得ることができる光学機器を提供すること。【解決手段】撮像部１１０と、撮像部による撮像が行われた時点の前後の音声を記録する音声録音部１２０と、撮像部から出力された画像データと、音声録音部から出力された音声データとを少なくとも記録するデータ記録部１６０と、所定の処理を行う処理部１５０と、画像を表示する画像表示部１７０と、音声を再生する音声再生部１８０を備え、音声録音部１２０は、毎回の撮影において、撮影記録開始から終了までの時間ｔでもって音声データを記録し、音声データと画像データは関連付けられており、記録された複数の音声データにおいて共通する音声部分を抽出し、共通する音声部分に対して所定の処理を行う。【選択図】図１
2009177515.tif 000002
【特許請求の範囲】
【請求項１】
撮像部と、
前記撮像部による撮像が行われた時点の前後の音声を記録する音声録音部と、
前記撮像部から出力された画像データと、前記音声録音部から出力された音声データとを少なくとも記録するデータ記録部と、
前記データ記録部に記録された前記画像データと前記音声データを用いて所定の処理を行う処理部と、
前記処理部で処理された処理結果に基づいて、画像を表示する画像表示部と、
前記処理部で処理された処理結果に基づいて、音声を再生する音声再生部を備え、
前記音声録音部は、毎回の撮影において、記録開始から終了までの時間ｔでもって前記音声データを記録し、
前記音声データと前記画像データは関連付けられており、
記録された複数の前記音声データにおいて共通する音声部分を抽出し、
該共通する音声部分に対して所定の処理を行うことを特徴とする光学機器。
【請求項２】
前記所定の処理は、前記処理対象の音声データのうちの一方の音声データにおいて、前記共通する音声部分を削除する処理であることを特徴とする請求項１に記載の光学機器。
【請求項３】
前記所定の処理は、前記処理対象の音声データのうちの一方の音声データにおいて、前記共通する音声部分の音量を小さくする処理であることを特徴とする請求項１に記載の光学機器。
【請求項４】
前記所定の処理の対象となる音声データは、前記再生時において時系列的に隣り合う音声データであることを特徴とする請求項１から請求項３のいずれか一項に記載の光学機器。
【請求項５】
前記所定の処理に加えて、前記画像データの数をＮとし、前記データ記録部に記録されている楽曲データの演奏開始から終了までの時間をＴとしたとき、前記時間ＴとＮ×ｔとを一致させる処理が行なわれることを特徴とする請求項１から請求項４のいずれか一項に記載の光学機器。
【発明の詳細な説明】
【技術分野】
【０００１】
本発明は、光学機器、特に音楽再生と画像再生が可能な光学機器に関するものである。
【背景技術】
【０００２】
近年、デジタルカメラが普及すると共に、デジタルカメラの高機能化が進んでいる。デジタルカメラが有する各種の機能として、音声の録音再生機能も提案されている（例えば、特許文献１参照）。また、記録した画像と音声を順番に再生する画像再生装置も提案されている（例えば、特許文献２参照）。
【０００３】
【特許文献１】特開平８−１６０５５３号公報
【特許文献２】特開２００５−５１７０６号公報
【発明の開示】
【発明が解決しようとする課題】
【０００４】
連続撮影を行った場合、例えば、最初の撮影における音声データと、次の撮影における音声データで、共通した音声部を有することになる。そのため、画像データを順番に再生した場合、画像は変化していくものの、音声データには重複が生じてしまう。
【０００５】
本発明は、上記に鑑みてなされたものであって、画像と音声を再生するとき、音声データに重複が生じない光学機器を提供することを目的とする。
【課題を解決するための手段】
【０００６】
上述した課題を解決し、目的を達成するために、本発明によれば、撮像部と、前記撮像部による撮像が行われた時点の前後の音声を記録する音声録音部と、前記撮像部から出力された画像データと、前記音声録音部から出力された音声データとを少なくとも記録するデータ記録部と、前記データ記録部に記録された前記画像データと前記音声データを用いて所定の処理を行う処理部と、前記処理部で処理された処理結果に基づいて、画像を表示する画像表示部と、前記処理部で処理された処理結果に基づいて、音声を再生する音声再生部を備え、前記音声録音部は、毎回の撮影において、記録開始から終了までの時間ｔでもって前記音声データを記録し、前記音声データと前記画像データは関連付けられており、記録された複数の前記音声データにおいて共通する音声部分を抽出し、該共通する音声部分に対して所定の処理が行われることを特徴とする光学機器を提供できる。
【０００７】
また、本発明の好ましい態様によれば、前記所定の処理は、前記処理対象の音声データのうちの一方の音声データにおいて、前記共通する音声部分を削除する処理であることが望ましい。
【０００８】
また、本発明の好ましい態様によれば、前記所定の処理は、前記処理対象の音声データのうちの一方の音声データにおいて、前記共通する音声部分の音量を小さくする処理であることが望ましい。
【０００９】
また、本発明の好ましい態様によれば、前記所定の処理の対象となる音声データは、前記再生時において時系列的に隣り合う音声データであることが望ましい。
【００１０】
また、本発明の好ましい態様によれば、前記所定の処理に加えて、前記画像データの数をＮとし、前記データ記録部に記録されている楽曲データの演奏開始から終了までの時間をＴとしたとき、前記時間ＴとＮ×ｔとを一致させる処理が行なわれることが望ましい。
【発明の効果】
【００１１】
本発明にかかる光学機器は、画像と音声を再生するとき、音声データに重複が生じない光学機器を提供できるという効果を奏する。
【発明を実施するための最良の形態】
【００１２】
以下に、本発明にかかる光学機器の実施例を図面に基づいて詳細に説明する。なお、この実施例によりこの発明が限定されるものではない。
【００１３】
まず、各実施例における光学機器について、説明する。図１の（ａ）は、光学機器の一例であるデジタルカメラ１００を示す外観を示す前方斜視図である。（ｂ）は、デジタルカメラ１００の背面図である。
【００１４】
図１の（ａ）、（ｂ）において、デジタルカメラ１００は、撮影光学系１０１、ファインダー光学系１０３、シャッターボタン１０５、フラッシュ１０６、液晶表示モニター１１１、焦点距離変更ボタン１０８、設定変更スイッチ（不図示）等を有している。ここで、１０２は撮影光学系１０１の撮影用光路、１０４はファインダー光学系１０３のファインダー用光路を示している。
【００１５】
撮影光学系１０１の沈胴時には、カバー１０７をスライドすることにより、撮影光学系１０１とファインダー光学系１０３とフラッシュ１０６は、カバー１０７で覆われる。そして、カバー１０７を開いてデジタルカメラ１００を撮影状態に設定すると、撮影光学系１０１は非沈胴状態になる。デジタルカメラ１００の上部に配置されたシャッターボタン１０５を押圧すると、それに連動して撮影光学系１０１を通して撮影が行われる。
【００１６】
撮影光学系１０１によって形成された被写体像が、ローパスフィルタとカバーガラスを介してＣＣＤの撮像面上に形成される。ＣＣＤで受光された物体像は、処理部１５０(図２）を介し、電子画像としてカメラ背面に設けられた液晶表示モニターに表示される。また、処理部１５０にはデータ記録部１６０（図２）が接続され、撮影された電子画像を記録することもできる。なお、データ記録部１６０は、処理部１５０と別体に設けてもよいし、フレキシブルディスクやメモリーカード、ＭＯ等により電子的に記録書込を行うように構成してもよい。
【００１７】
図２は、デジタルカメラ１００の主要部の内部回路の構成ブロック図である。画像撮像部１１０は、被写体の画像を静止画として撮像する。例えば、静止画の撮像には、上述のＣＣＤを用いることができる。
【００１８】
音声録音部１２０は、画像撮像部１１０による撮像が行われた時点の前後の音声を記録する。例えば、音声録音部１２０は、パーティ会場で記念撮影をしているときなどに、撮影されている人物が発している「今日は楽しかったね」等の音声を録音する。音声録音部１２０としては、マイクロフォンを用いることができる。ここで、音声録音部１２０は、毎回の撮影において、記録開始から終了までの時間ｔでもって音声データを記録する。また、音声データと、画像データは一対一で関連付けられている。
【００１９】
楽曲取得部１３０は、静止画を再生表示する際、再生する楽曲（例えば、ＢＧＭ）のデータを取得する。楽曲取得部１３０は、予めデータ記録部１６０内に記録されている楽曲リスト内からユーザが楽曲データを選択すること、またはデータ通信部１９０を介して所望の楽曲データをデジタルカメラ１００とは別体の外部サーバーからダウンロードすること等で楽曲データを取得できる。なお、楽曲取得部１３０は必ずしも必要ではない。
【００２０】
データ記録部１６０は、画像撮像部１１０から出力された画像データと音声録音部１２０から出力された音声データを少なくとも記録する。
【００２１】
処理部１５０は、データ記録部１６０に記録された画像データ、音声データ及び音声データ中の音に応じて所定の処理を行う。所定の処理に先立って、記録された複数の音声データにおいて、共通する音声部分を抽出する処理が行われる。その後、共通する音声部分に対して所定の処理が行われる。所定の処理は、画像データを順次再生する前に行なわれる。なお、この処理の具体的な手順については、後述する。
【００２２】
また、画像表示部１７０は、処理部１５０で処理された処理結果に基づいて、画像を表示する。音声再生部１８０は、処理部１５０で処理された処理結果に基づいて、音声を再生する。画像表示部１７０として、図１の（ｂ）に示す液晶モニタ部１１１を用いることができる。また、音声再生部１８０として、図１の（ｂ）に示すスピーカ１０９を用いることができる。
【００２３】
次に、図３のフローチャートに基づいて、楽曲と共に静止画像を再生する手順について説明する。ステップＳ３０１において、ユーザは、データ記録部１６０に記録されている画像データの中から、再生表示したい複数の画像データを選択、指定する。なお、全画像や日付ごとのフォルダを指定することでも、画像データを選択や指定が可能である。
【００２４】
ステップＳ３０２において、選択された複数の画像データについて、表示する順番を決める設定を行う。表示する順番としては、例えば、日付順やユーザの好みの順等がある。
【００２５】
ステップＳ３０３において、ユーザは、ＢＧＭとして用いる楽曲を指定する。楽曲の指定は、上述したように、予めデータ記録部１６０内に記録されている楽曲リスト内からユーザが楽曲を選択すること、またはデータ通信部１９０を介して所望の楽曲をデジタルカメラ１００とは別体の外部サーバーからダウンロードすること等で行うことができる。なお、画像と音声のみを再生する場合、このステップＳ３０３は必要でない。
【００２６】
ステップＳ３０４において、選択した静止画の各々について再生するための時間を設定する。この時間設定の詳細に関しても後述する。なお、指定された楽曲をＢＧＭとして用いた場合、楽曲の再生時間も考慮される。
【００２７】
ステップＳ３０５において、静止画を再生するか、否かが判断される。ステップＳ３０５の判断結果が真（Ｙｅｓ）のとき、ステップＳ３０６において、静止画を再生表示する。そして、処理を終了する。また、ステップＳ３０５の判断結果が偽（Ｎｏ）のとき、処理を終了する。
【００２８】
次に、所定の処理、すなわち音声データの処理について説明する。音声データの処理では、（１）加処理対象の音声データのうちの一方の音声データにおいて、共通する音声部分を削除する処理、（２）処理対象の音声データのうちの一方の音声データにおいて、共通する音声部分の音量を小さくする処理である。
【００２９】
まず、第１の実施形態について説明する。第１の実施形態における所定の処理は、処理対象の音声データのうちの一方の音声データにおいて、共通する音声部分を削除する処理である。図４は、画像データと音声データの様子を示す図である。図４では、その間に「今日は楽しかったね。明日もまた来ましょう。」という音声が生じている間に、連続して４回の撮影が行なわれた場合を示している。
【００３０】
図４（ａ）に示すように、画像データＡに対しては、「今日は楽しかったね。」という音声データＡが記録されている。また、画像データＢに対しては、「楽しかったね。明日も」という音声データＢが記録されている。また、画像データＣに対しては、「ったね。明日もまた」という音声データＣが記録されている。画像データＤに対しては、「明日もまた来ましょう。」という音声データＤが記録されている。
【００３１】
この様な状態で、画像データを、画像データＡ、画像データＢ、画像データＣ、画像データＤの順に、画像データを連続して再生させる場合を考える。この場合、音声データも、音声データＡ、音声データＢ、音声データＣ、音声データＤの順に再生されることになる。ここで、何も処理を行わずに音声データを再生すると、図４（ｂ）に示すように、再生された音声データは全体として、「今日は楽しかったね。楽しかったね。明日もったね。明日もまた明日もまた来ましょう。」となってしまう。
【００３２】
そこで、本実施形態では、まず、記録された複数の音声データにおいて、共通する音声部分を抽出する処理が行われる。この抽出処理は、画像データを連続して再生する前に行なわれる。ここでは、抽出処理は、以下のようになる。
（表１）
2009177515.tif 000003
【００３３】
そして、上記の抽出処理が行われた後、所定の処理、すなわち、共通する音声部分を削除する処理が行われる。この処理は、処理対象の音声データのうちの一方の音声データに対して行なわれる。ここでは、音声データＡと音声データＢでは、音声データＢに対して処理が行われる。また、音声データＢと音声データＣでは、音声データＣに対して処理が行われる。また、音声データＣと音声データＤでは、音声データＤに処理が行われる。
【００３４】
ここで、音声データＡと音声データＢは、再生時において時系列的に隣り合う音声データである。同様に、音声データＢと音声データＣ、音声データＣと音声データＤも、それぞれ、再生時において時系列的に隣り合う音声データである。このように、本実施形態では、所定の処理の対象となる音声データは、再生時において時系列的に隣り合う音声データである。
【００３５】
削除処理が行われた結果を以下に示す。なお、処理された音声データは、別の音声データとして記録される。
（表２）
2009177515.tif 000004
【００３６】
図５（ａ）に画像データと処理後の音声データの関係を示す。処理後の音声データは、それぞれ、音声データＡ、音声データＢ’、音声データＣ’、音声データＤ’に格納される。そして、画像データＡと音声データＡ、画像データＢと音声データＢ’、画像データＣと音声データＣ’、画像データＤと音声データＤ’が、一対一に対応する。
【００３７】
上記のような処理が行われた後、画像データを、画像データＡ、画像データＢ、画像データＣ、画像データＤの順に、画像データを連続して再生させる。すると、図５（ｂ）に示すように、再生された音声データは全体として、「今日は楽しかったね。明日もまた来ましょう。」と自然な音声になる。
【００３８】
なお、音声データＢ，Ｃ，Ｄでは、音声の一部が削除される。そのため、音声全体の再生時間が短くなる。そこで、再生時間を調節する処理を行っても良い。この処理としては、別の音声データ（音楽等を含む）を加える処理がある。このような処理により、全体の再生時間を調整することができる。また、違和感の無い範囲で、音声データを伸張する処理を行っても良い。音声データの伸張、別の音声データの追加は、再生の最初、途中、あるいは最後の少なくとも１つの箇所で行なえば良い。
【００３９】
このような処理を行うことで、楽曲データと協調させて、記録したデータを再生させることができる。ここで、楽曲データとは、ＢＧＭ（バックグラウンドミュージック）である。すなわち、お気に入りの音楽をＢＧＭとして、画像データを表示させると共に、音声データを再生することができる。その際、画像データの数をＮとし、データ記録部に記録されている楽曲データの演奏開始から終了までの時間をＴとしたとき、時間ＴとＮ×ｔとを一致させるようにすることができる。このような処理を行うようにしても良い。
【００４０】
次に、第２の実施形態について説明する。第２の実施形態における所定の処理は、処理対象の音声データのうちの一方の音声データにおいて、共通する音声部分の音量を小さくするである。ここで例示する音声データは、図４に示した音声データと同じである。
【００４１】
削除処理が行われた結果を以下に示す。なお、処理された音声データは、別の音声データとして記録される。この表では、音量を文字の大きさで示している。文字が大きいほど、音量が大きいことをあらわしている。
（表３）
2009177515.tif 000005
【００４２】
上記のような処理が行われた後、画像データを、画像データＡ、画像データＢ、画像データＣ、画像データＤの順に、画像データを連続して再生させる。すると、図５（ｂ）に示すように、再生された音声データは全体として、「今日は楽しかったね。明日もまた来ましょう。」と自然な音声になる。
【００４３】
なお、音声データを再生する際、共通部分が重複するように、各音声データの再生タイミングを調整するのが良い。このようにすれば、より自然な音声を再生することができる。また、本実施形態では、一方の音声データにおいて、共通部分の音量を小さくしている。しかしながら、両方の音声データにおいて、共通部分の音量を小さくしても良い。
【００４４】
以上説明したように、本発明によれば、画像と音声を再生するとき、音声データに重複が生じない光学機器を提供できるという効果を奏する。また、楽曲とあわせて再生する際、楽曲データに依存しない表現の自由度を得ることができる。
【産業上の利用可能性】
【００４５】
以上のように、本発明にかかる光学機器は、静止画像と共に音声を再生する場合に有用である。
【図面の簡単な説明】
【００４６】
【図１】本発明の実施例１に係る光学機器であるデジタルカメラの斜視構成を示す図である。
【図２】本実施形態における内部ブロックを示す図である。
【図３】本実施形態における処理手順を示すフローチャートである。
【図４】第１の実施形態における処理前の内容を示す図である。
【図５】第１の実施形態における処理後の内容を示す図である。
【符号の説明】
【００４７】
１００  デジタルカメラ
１０１  撮影光学系
１０２  撮影用光路
１０３  ファインダー光学系
１０４  ファインダー用光路
１０５  シャッターボタン
１０６  フラッシュ
１０７  カバー
１０８  焦点距離変更ボタン
１０９  スピーカ
１１０  画像撮像部
１１１  液晶モニタ部
１２０  音声録音部
１３０  楽曲取得部
１４０  操作部
１５０  処理部
１６０  データ記録部
１７０  画像表示部
１８０  音声再生部
１９０  データ通信部
【図１】
2009177515.tif 000006
【図２】
2009177515.tif 000007
【図３】
2009177515.tif 000008
【図４】
2009177515.tif 000009
【図５】
2009177515.tif 000010